(57)【特許請求の範囲】
【請求項１】
熱源を備え、録音機能を有する電子機器であって、
吸気口と排気口とを備え、前記熱源と熱的に接続されたダクト部と、
前記熱源の温度を検知する温度検知手段と、
前記ダクト部の空気を前記吸気口から前記排気口の方向に送風する第１の送風手段と、
前記電子機器の内部の空気を循環させる第２の送風手段と、
録音動作が行われており、前記温度検知手段で検知された温度が所定温度以下である場合に、前記第１の送風手段を停止して前記第２の送風手段を駆動するように制御する制御手段と、
を有することを特徴とする電子機器。
【請求項２】
前記制御手段は、電源がオンされた場合に前記第１の送風手段を駆動し、前記録音動作が開始された場合に、前記第１の送風手段を停止して前記第２の送風手段を駆動するように制御することを特徴とする請求項１に記載の電子機器。
【請求項３】
前記制御手段は、前記第１の送風手段を停止して前記第２の送風手段を駆動した後、前記温度検知手段により検知された温度が所定温度を超えた場合に、前記第１の送風手段を駆動して前記第２の送風手段を停止するように制御することを特徴とする請求項１又は２に記載の電子機器。
【請求項４】
熱源を備え、録音機能を有する電子機器であって、
吸気口と排気口とを備え、前記熱源と熱的に接続されたダクト部と、
前記熱源の温度を検知する第１の温度検知手段と、
他の熱源の温度を検知する第２の温度検知手段と、
前記ダクト部の空気を前記吸気口から前記排気口の方向に送風する第１の送風手段と、前記電子機器の内部の空気を循環させる第２の送風手段と、
録音動作が行われている場合に、前記第１の温度検知手段および前記第２の温度検知手段により検知された温度に応じて、前記第１の送風手段および前記第２の送風手段による送風量を制御する制御手段と、
を有することを特徴とする電子機器。
【請求項５】
前記制御手段は、電源がオンされた場合に、前記第１の送風手段を駆動し、前記録音動作が開始された場合に、前記第１の送風手段を停止して前記第２の送風手段を駆動するように制御することを特徴とする請求項４に記載の電子機器。
【請求項６】
前記他の熱源は、電源を含むことを特徴とする請求項４又は５に記載の電子機器。
【請求項７】
前記電子機器は、被写体を撮像して記録する撮像装置を含むことを特徴とする請求項１乃至６のいずれか１項に記載の電子機器。
【請求項８】
熱源と、吸気口と排気口とを備え、前記熱源と熱的に接続されたダクト部と、前記ダクト部の空気を前記吸気口から前記排気口の方向に送風する第１の送風手段と、電子機器の内部の空気を循環させる第２の送風手段と、を備え、録音機能を有する電子機器の制御方法であって、
前記熱源の温度を検知する温度検知ステップと、
録音動作が行われており、前記温度検知ステップで検知された温度が所定温度以下である場合に、前記第１の送風手段を停止して前記第２の送風手段を駆動するように制御する制御ステップと、
を有することを特徴とする制御方法。
【請求項９】
熱源と、吸気口と排気口とを備え、前記熱源と熱的に接続されたダクト部と、前記ダクト部の空気を前記吸気口から前記排気口の方向に送風する第１の送風手段と、電子機器の内部の空気を循環させる第２の送風手段と、を備え、録音機能を有する電子機器の制御方法であって、
前記熱源の温度を検知する第１の温度検知ステップと、
他の熱源の温度を検知する第２の温度検知ステップと、
録音動作が行われている場合に、前記第１の温度検知ステップおよび前記第２の温度検知ステップで検知された温度に応じて、前記第１の送風手段および前記第２の送風手段による送風量を制御する制御ステップと、
を有することを特徴とする制御方法。
【請求項１０】
熱源と、吸気口と排気口とを備え、前記熱源と熱的に接続されたダクト部と、前記ダクト部の空気を前記吸気口から前記排気口の方向に送風する第１の送風手段と、電子機器の内部の空気を循環させる第２の送風手段と、を備え、録音機能を有する電子機器で用いられる制御プログラムであって、
前記電子機器が備えるコンピュータに、
前記熱源の温度を検知する温度検知ステップと、
録音動作が行われており、前記温度検知ステップで検知された温度が所定温度以下である場合に、前記第１の送風手段を停止して前記第２の送風手段を駆動するように制御する制御ステップと、
を実行させることを特徴とする制御プログラム。
【請求項１１】
熱源と、吸気口と排気口とを備え、前記熱源と熱的に接続されたダクト部と、前記ダクト部の空気を前記吸気口から前記排気口の方向に送風する第１の送風手段と、電子機器の内部の空気を循環させる第２の送風手段と、を備え、録音機能を有する電子機器で用いられる制御プログラムあって、
前記電子機器が備えるコンピュータに、
前記熱源の温度を検知する第１の温度検知ステップと、
他の熱源の温度を検知する第２の温度検知ステップと、
録音動作が行われている場合に、前記第１の温度検知ステップおよび前記第２の温度検知ステップで検知された温度に応じて、前記第１の送風手段および前記第２の送風手段による送風量を制御する制御ステップと、
を実行させることを特徴とする制御プログラム。
【発明の詳細な説明】
【技術分野】
【０００１】
本発明は、電子機器、その制御方法、および制御プログラムに関し、特に、冷却用ファンを備える撮像装置などの電子機器に関する。
【背景技術】
【０００２】
近年、電子機器の１つであるデジタルカメラなどの撮像装置の小型化と消費電力の増加に伴って、冷却用ファン（以下単にファンと呼ぶ）を用いて撮像装置内部を冷却することが行われている。そして、撮像装置内部をファンによって効率よく冷却するため、撮像装置内部にはダクトが配置されている。このダクトには熱源である各種基板が熱的に接続され、ダクトをファンによる送風で冷却することによって、効率よく撮像装置内部を冷却するようにしている（特許文献１参照）。
【０００３】
ところで、撮像装置においては、録画の際に音声を記録することがある。音声を記録する際に、ファンが駆動されていると、ファンの駆動音が音声とともに録音されてしまうことになる。このような問題に対処するため、録音の際にファンを停止するか又は回転数を低くすることが行われている。例えば、録音の際にファンを停止する停止モードを備える撮像装置がある（特許文献２参照）。
【先行技術文献】
【特許文献】
【０００４】
【特許文献１】特開２０１４−４５３４５号公報
【特許文献２】特開２０１４−４２１６８号公報
【発明の概要】
【発明が解決しようとする課題】
【０００５】
特許文献１に記載の撮像装置においては、ダクトによって効率よく冷却を行うためには、ダクトに可能な限り多くの熱を集めることが必要となる。このため、熱源である基板などをダクトの近傍に集中して配置して、ダクトと熱源とを熱的に接続する必要がある。
【０００６】
このように、熱源をダクトの近傍に集中的に配置する構造では、複数の熱源が集中的に配置される結果、録音の際にファンを停止すると、基板上の電気素子の温度が短時間で上昇してしまうことになる。このため、ファンを停止する時間には制限がある。
【０００７】
ところが、録音時間が長くなると、ファン停止時間が長くなってしまい、不可避的に基板の温度が上昇して、動作不良を来すことがある。
【０００８】
従って、本発明の目的は、録音時間が長くなっても、電子機器内部の温度上昇を抑えて、かつ音声録音の際のファン駆動に起因する雑音の影響を低減することのできる電子機器、その制御方法、および制御プログラムを提供することにある。
【課題を解決するための手段】
【０００９】
上記の目的を達成するため、本発明による電子機器は、熱源を備え、録音機能を有する電子機器であって、吸気口と排気口とを備え、前記熱源と熱的に接続されたダクト部と、前記熱源の温度を検知する温度検知手段と、前記ダクト部の空気を前記吸気口から前記排気口の方向に送風する第１の送風手段と、前記電子機器の内部の空気を循環させる第２の送風手段と、録音動作が行われており、前記温度検知手段で検知された温度が所定温度以下である場合に、前記第１の送風手段を停止して前記第２の送風手段を駆動するように制御する制御手段と、を有することを特徴とする。
【００１０】
本発明による制御方法は、熱源と、吸気口と排気口とを備え、前記熱源と熱的に接続されたダクト部と、前記ダクト部の空気を前記吸気口から前記排気口の方向に送風する第１の送風手段と、電子機器の内部の空気を循環させる第２の送風手段と、を備え、録音機能を有する電子機器の制御方法であって、前記熱源の温度を検知する温度検知ステップと、録音動作が行われており、前記温度検知ステップで検知された温度が所定温度以下である場合に、前記第１の送風手段を停止して前記第２の送風手段を駆動するように制御する制御ステップと、を有することを特徴とする。
【００１１】
本発明による制御プログラムは、熱源と、吸気口と排気口とを備え、前記熱源と熱的に接続されたダクト部と、前記ダクト部の空気を前記吸気口から前記排気口の方向に送風する第１の送風手段と、電子機器の内部の空気を循環させる第２の送風手段と、を備え、録音機能を有する電子機器で用いられる制御方プログラムであって、前記電子機器が備えるコンピュータに、前記熱源の温度を検知する温度検知ステップと、録音動作が行われており、前記温度検知ステップで検知された温度が所定温度以下である場合に、前記第１の送風手段を停止して前記第２の送風手段を駆動するように制御する制御ステップと、を実行させることを特徴とする。
【発明の効果】
【００１２】
本発明によれば、録音時間が長くなっても、電子機器内部の温度上昇を抑えて、かつ録音の際の送風に起因する雑音の影響を低減することができる。
【図面の簡単な説明】
【００１３】
【図１】本発明の第１の実施形態による電子機器の１つである撮像装置の一例についてその構成を示すブロック図である。
【図２】図１に示すカメラ１００の外観を示す斜視図である。
【図３】図２に示すＺ方向から見た際のカメラの内部構造を模式的に示す図である。
【図４】図２に示すＸ方向から見た際のカメラの内部構造を模式的に示す図である。
【図５】図１に示すカメラにおける送風制御処理の一例を説明するためのフローチャートである。
【図６】本発明の第２の実施形態に係るカメラで行われる送風制御処理の一例を説明するためのフローチャートである。
【図７】本発明の第３の実施形態に係るカメラで行われる送風制御処理の一例を説明するためのフローチャートである。
【図８】図７に示す回転数制御ステップで用いられる制御テーブルの一例を示す図である。
【発明を実施するための形態】
【００１４】
以下に、本発明の実施の形態による電子機器の一例について、図面を参照して説明する。
【００１５】
［第１の実施形態］
図１は、本発明の第１の実施形態による電子機器の１つである撮像装置の一例についてその構成を示すブロック図である。
【００１６】
図示の撮像装置は、例えば、デジタルカメラ（以下単にカメラと呼ぶ）１００であり、撮像部１０１を有している。撮像部１０１は撮影レンズおよび撮像素子を備えており、この撮像素子は、例えば、ＣＣＤ又はＣＭＯＳ素子およびＡ／Ｄ変換器を有している。そして、撮影レンズを介してＣＣＤ又はＣＭＯＳ素子に光学像が結像する。ＣＣＤ又はＣＭＯＳ素子は光学像に応じた電気信号（アナログ信号）を出力し、Ａ／Ｄ変換器は当該アナログ信号をデジタル信号に変換して画像データとして出力する。
【００１７】
音声入力部１１０は、外部の音声を受けて電気信号に変換するマイクを有しており、当該マイクの出力である電気信号に応じた音声データを出力する。ＲＯＭ１０３は、電気的に消去・記録可能なメモリであって、例えば、ＥＥＰＲＯＭが用いられる。ＲＯＭ１０３には、ＣＰＵ１０２の動作用の定数およびプログラムなどが記憶される。なお、当該プログラムには後述するフローチャートを実行するためのプログラムが含まれる。ＣＰＵ１０２は、撮像装置１００全体の制御を司る。そして、ＣＰＵ１０２は、ＲＯＭ１０３に記録されたプログラムを実行することによって、後述する処理を行う。
【００１８】
ＲＡＭ１０４はシステムメモリ、ワークメモリ、画像メモリ、および音声メモリとして用いられる。このＲＡＭ１０４には、ＣＰＵ１０２の動作用の定数、変数、およびＲＯＭ１０３から読み出したプログラムなどが展開される。
【００１９】
温度検知部１０５は、後述するように、第１〜第３の温度検知部を有しており、第１の温度検知部はＣＰＵ１０２、ＲＯＭ１０３、およびＲＡＭ１０４が搭載された基板の温度を検出して第１の温度データを出力する。第２の温度検知部は撮像素子の温度を検知して第２の温度データを出力する。そして、第３の温度検知部はバッテリー１１１の温度を検知して第３の温度データを出力する。なお、第１〜第３の温度検知部３０９の各々として、例えば、サーミスタが用いられる。
【００２０】
前述の画像データは、例えば、ＲＡＭ１０４に一旦記録される。ＣＰＵ１０２はＲＡＭ１０４に記録された画像データに応じた画像を表示部１０６に表示する。なお、表示部１０６には液晶パネル又は有機ＥＬなどが用いられる。
【００２１】
前述の音声データは、例えば、ＲＡＭ１０４に一旦記録される。ＣＰＵ１０２はＲＡＭ１０４に記録された画像データおよび音声データを記録部１０７に送って、当該記録部１０７に画像データおよび音声データを記録する。なお、記録部１０７は、例えば、メモリカードなどの記録媒体である。なお、記録媒体として、半導体メモリ、磁気ディスク、又は磁気テープなどを用いるようにしてもよい。
【００２２】
操作部１０８はユーザによって操作され、各種指示をＣＰＵ１０２に与えるためのものである。さらに、図示のカメラ１００には、電源供給のためのバッテリー１１１および冷却用のファン１０９が備えられている。
【００２３】
図２は、図１に示すカメラ１００の外観を示す斜視図である。また、図３は、図２に示すＺ方向から見た際のカメラの内部構造を模式的に示す図である。そして、図４は、図２に示すＸ方向から見た際のカメラの内部構造を模式的に示す図である。以下、図２〜図４を参照してカメラ１００の構造について説明する。
【００２４】
撮像部１０１は撮影レンズ３００および撮像素子３０１を有している。そして、撮像素子３０１の近傍には、第２の温度検知部３０２が配置されている。基板３０３には、前述のＣＰＵ１０２、ＲＯＭ１０３、およびＲＡＭ１０４が搭載され、基板３０３の近傍には第１の温度検知部３０４が配置されている。さらに、バッテリー１１１の近傍には第３の温度検知部３０９が配置されている。
【００２５】
操作部１０８は、例えば、シャッター釦２０１、電源釦２００、およびタッチパネル２０２を有しており、シャッター釦２０１および電源釦２００はカメラ１００の筐体に設けられている。また、タッチパネル２０２は表示部１０６の表示面上に配置されている。
【００２６】
電源釦２００はカメラ１００の電源をオン又はオフする際に用いられる。シャッター釦２０１の操作によって、ＣＰＵ１０２は撮影を行った結果得られた画像データおよび音声データを記録部１０７に保存する。タッチパネル２０２のタッチ操作によって表示部１０６に表示された種々のアイコンを選択操作すると、アイコンが各種機能釦として作用する。機能釦としては、例えば、撮影モード切り替え釦、ズーム釦、およびメニュー釦がある。
【００２７】
ズーム釦がタッチ操作されると、ＣＰＵ１０２はズーム動作を開始して撮影シーンに適した画角に設定する。このように、ユーザはタッチパネル２０２をタッチ操作することによって直感的に各種設定を行うことができる。
【００２８】
図１に示すファン１０９は、第１のファン３０６および第２のファン３０８を備えている。カメラ１００には吸気口２０３および排気口２０４が形成されており、これら吸気口２０３および排気口２０４はダクト部（以下単にダクトと呼ぶ）３０５によって連結されている。第１のファン３０６の駆動によって、吸気口２０３から外部の空気が取り込まれ、ダクト３０５を介して排気口２０４から排気される。つまり、ダクト３０５は通風経路として用いられる。一方、第２のファン３０８はカメラ１００内部の空気を循環させるために用いられる。
【００２９】
ＣＰＵ１０２は、ファン１０９（つまり、第１のファン３０６および第２のファン３０８）を駆動するモーター（ファン用モーター）を制御して、ファン１０９の回転数を調整する。例えば、ＣＰＵ１０２はファン用モーターの入力電圧値を制御するか又はＰＷＭ制御によってファン用モーターを制御する。
【００３０】
なお、カメラ１００には、カメラを駆動するための電源部、画像データおよび音声データの入出力のための端子部、および被写体を照らすためのストロボ部などが備えられるが、ここでは説明を省略する。
【００３１】
続いて、図１〜図４を参照して、ファン１０９よるカメラ１００の冷却方法について説明する。
【００３２】
第１のファン３０６が駆動されると、外部の空気が図３の矢印Ｗ１で示すように、吸気口２０３から吸い込まれてダクト３０５を通過する。これによって、ダクト３０５の熱が強制対流によって外部の空気に移動する。そして、高温の空気が排気口２０４から排出されて、カメラ１００内部の熱が排熱される。
【００３３】
ダクト３０５には、熱伝導部材３０７を介して基板３０３が熱的に接続されている。この結果、ダクト３０５の熱を外部の空気に移動させれば、基板３０３の温度が低下することになる。ダクト３０５の温度が高ければ、ダクト３０５と外部の空気との温度差が大きくなるので、多量の排熱が可能となる。一方、ダクト３０５の温度が低ければ、ダクト３０５と外部の空気との温度差が小さくなるので、排熱量は少なくなる。なお、第１のファン３０６を駆動した際には、吸気口２０３と排気口２０４において風切り音が発生するので、駆動音（つまり、ファンノイズ）が大きくなる。
【００３４】
第２のファン３０８が駆動されると、カメラ１００内部の空気が、図４の矢印Ｗ２で示すように循環する。これによって、基板３０３の熱がカメラ本体１００内部に拡散する。基板３０３の熱の拡散によって、カメラ１００内部の温度が上昇して、カメラ１００の筐体表面から外部に排熱される排熱量が大きくなる。この結果、基板３０３の温度を下げることができる。
【００３５】
このようにして、第２のファン３０８を駆動すると、基板３０３に搭載されたＣＰＵなどの電気素子の温度上昇速度を抑えることができる。
【００３６】
なお、第２のファン３０８はカメラ１００内部の空気を循環させるだけであるので、駆動音は極めて小さく、録音に対する影響はほとんどない。つまり、第２のファン３０８は、カメラ体１００内部に配置され、さらに、吸気口から排気口に空気を送るためのものではないので、第１のファン３０６と比較すると、ファンノイズは小さい。そして、第２のファン３０８は、カメラ１００内部の空気を循環するだけであるので、小型で低騒音のファンを選択することができる。但し、第２のファン３０６の駆動によって、カメラ１００内部の熱は筐体表面から自然対流によって放出されるので、第１のファン３０６と比較すると排熱量が小さい。
【００３７】
ところで、第１および第２のファン３０６および３０８を同時に駆動すると、第２のファン３０８による冷却作用によって、基板３０３の温度が下がってダクト３０５の温度が下がる。このため、第１のファンによる排熱量が小さくなる。場合によっては、カメラ１００全体の排熱量は、第１のファン３０６のみを駆動した場合よりも、第１および第２のファン３０６および３０８を同時に駆動した場合の方が小さくなることがある。しかも、ファンノイズは、第１および第２のファン３０６および３０８を同時に駆動した場合に、最も大きくなる。よって、第１のファン３０６および第２のファン３０７は選択的に駆動することが望ましい。
【００３８】
図５は、図１に示すカメラにおける送風制御処理の一例を説明するためのフローチャートである。なお、図示のフローチャートに係る処理は、ＣＰＵ１０２がＲＯＭ１０３に格納されたプログラムをＲＡＭ１０４に展開して実行することによって行われる。
【００３９】
送風制御処理が開始されると、ＣＰＵ１０２は電源釦２００の操作によって電源がオンされたか否かを判定する（ステップＳ５０１）。電源がオンされないと（ステップＳ５０１において、ＮＯ）、ＣＰＵ１０２は待機する。一方、電源がオンされると（ステップＳ５０１において、ＹＥＳ）、ＣＰＵ１０２は第１のファン３０６を駆動する（ステップＳ５０２）。
【００４０】
続いて、ＣＰＵ１０２はシャッター釦２０１の操作によって録画が開始されたか否か、つまり、録画中であるか否かを判定する（ステップＳ５０３）。なお、録画の際には、音声が同時に録音されるものとする。録画中でない場合（ステップＳ５０３において、ＮＯ）、ＣＰＵ１０２はステップＳ５０２の処理に戻って、第１のファン３０６の駆動を継続する。
【００４１】
一方、録画中である場合（ステップＳ５０３において、ＹＥＳ）、ＣＰＵ１０２は第１のファン３０６を停止する（ステップＳ５０４）。そして、ＣＰＵ１０２は第２のファン３０８を駆動する（ステップＳ５０５）。
【００４２】
次に、ＣＰＵ１０２はシャッター釦２０１の操作によって録画が終了されたか否かを判定する（ステップＳ５０６）。録画が終了されない場合（ステップＳ５０６において、ＮＯ）、ＣＰＵ１０２はステップＳ５０４の処理に戻って、第１のファン３０６の停止を継続するとともに、第２のファン３０８の駆動を継続する。
【００４３】
録画が終了された場合（ステップＳ５０６において、ＹＥＳ）、ＣＰＵ１０２は第２のファン３０８を停止する（ステップＳ５０７）。そして、ＣＰＵ１０２は電源釦２００の操作によって電源がオフされたか否かを判定する（ステップＳ５０８）。
【００４４】
電源がオフされない場合（ステップＳ５０８において、ＮＯ）、ＣＰＵ１０２はステップＳ５０２の処理に戻って、第１のファン３０６を駆動する。一方、電源がオフされた場合（ステップＳ５０８において、ＹＥＳ）、ＣＰＵ１０２は送風制御処理を終了する。
【００４５】
ところで、図５で説明したフローチャートにおいては、録画中であるか否かに応じて第１のファン３０６および第２のファン３０８を選択的に駆動するようにしたが、第１、第２、および第３の温度検出部３０４、３０２、および３０９で得られた温度データに応じて、ＣＰＵ１０２は第１のファン３０６および第２のファン３０８を選択的に駆動するようにしてもよい。録画中においては、図５で説明したようにして、第１のファン３０６および第２のファン３０８が選択的に駆動されるが、音声記録を行わないで撮影する際には、例えば、第１の温度検出部３０４で得られた温度データが示す温度が所定の温度以上となると、ＣＰＵ１０２は第１のファン３０６を駆動する。また、第２の温度検出部３０２で得られた温度データが示す温度が所定の温度以上となると、ＣＰＵ１０２は第２のファン３０６を駆動する。同様に、第３の温度検出部３０９で得られた温度データが示す温度が所定の温度以上となると、ＣＰＵ１０２は第２のファン３０６を駆動することになる。
【００４６】
このように、本発明の第１の実施形態では、録音を伴う録画の停止の際には、排熱能力の高い第１のファン３０６で冷却を行い、録画を行う際には、静音性の高い第２のファン３０８で冷却を行う、これによって、録画の際においても基板などに搭載された電気素子の温度上昇の速度を抑えることができ、しかも、録音に影響を与えることなく録画時間を長く設定することができる。
【００４７】
なお、第１の実施形態では、ダクト３０５に熱的に接続される熱源として基板のみが示されているが、基板に限らず、複数の熱源をダクト３０５に熱的に接続するようにしてもよい。
【００４８】
さらに、１つのダクト３０５に複数のファンを配置するようにしてもよく、ダクト３０５に配置されるファンの数は限定されない。さらには、カメラ内部の空気を循環するために複数のファンを配置するようにしてもよく、カメラ内部循環用のファンの数は、上述の例に限定されない。加えて、排熱用のダクトを複数備えるようにしてもよく、ダクトの数は上述の例に限定されない。
【００４９】
また、温度検知部の数はカメラに１つ備えるようにしてもよく、さらには、熱源毎に温度検知部を備えるようにしてもよい。そして、温度検知部の数およびその配置は上述の例に限定されない。
【００５０】
［第２の実施形態］
続いて、本発明の第２の実施形態に係るカメラの一例について説明する。なお、第２の実施形態に係るカメラの構成は、図１〜図４に示すカメラと同様である。
【００５１】
図６は本発明の第２の実施形態に係るカメラで行われる送風制御処理の一例を説明するためのフローチャートである。
【００５２】
なお、図示のフローチャートに係る処理は、ＣＰＵ１０２がＲＯＭ１０３に格納されたプログラムをＲＡＭ１０４に展開して実行することによって行われる。また、図６に示すフローチャートにおいて、図５に示すフローチャートと同一のステップについては同一の参照符号を付して説明を省略する。
【００５３】
ステップＳ５０３において、録画中である場合、ＣＰＵ１０２は第１の温度検知部３０４によって基板３０３の温度を検出して、第１の温度検知部３０４で得られた温度データをＲＡＭ１０４に書き込む（ステップＳ６０４）。そして、ＣＰＵ１０２は予めＲＯＭ１０３に設定された温度データ（設定温度）とステップＳ６０４でＲＡＭ１０４に書き込んだ基板３０３の温度データ（基板検知温度）とを比較して、基板検知温度が設定温度以下であるか否かを判定する（ステップＳ６０５）。
【００５４】
基板検知温度が設定温度を超えている場合（ステップＳ６０５において、ＮＯ）、ＣＰＵ１０２はステップＳ５０２の処理に戻って、第１のファン３０６の駆動を継続する。一方、基板検知温度が設定温度以下である場合（ステップＳ６０５において、ＹＥＳ）、ＣＰＵ１０２は第１のファン３０６を停止する（ステップＳ６０６）。そして、ＣＰＵ１０２は第２のファン３０８を駆動する（ステップＳ６０７）。
【００５５】
続いて、ＣＰＵ１０２は第１の温度検知部３０４によって基板３０３の温度を検出して（ステップＳ６０８）、第１の温度検知部３０４で得られた温度データをＲＡＭ１０４に書き込む（ステップＳ６０８）。そして、ＣＰＵ１０２は設定温度とステップＳ６０８でＲＡＭ１０４に書き込んだ基板３０３の温度データ（基板検知温度）とを比較して、基板検知温度が設定温度を超えたか否かを判定する（ステップＳ６０９）。
【００５６】
基板検知温度が設定温度以下である場合（ステップＳ６０９において、ＮＯ）、ＣＰＵ１０２はステップＳ６０６の処理に戻って、第１のファン３０６の停止を継続するとともに、第２のファン３０８の駆動を継続する。一方、基板検知温度が設定温度を超えた場合（ステップＳ６０９において、ＹＥＳ）、ＣＰＵ１０２は第１のファン３０６を駆動する（ステップＳ６１０）。そして、ＣＰＵ１０２は第２のファン３０８を停止する（ステップＳ６１１）。
【００５７】
その後、ＣＰＵ１０２はシャッター釦２０１の操作によって録画が終了されたか否かを判定する（ステップＳ６１２）。録画が終了されない場合（ステップＳ６１２において、ＮＯ）、ＣＰＵ１０２はステップＳ６０９の処理に戻って、基板検知温度が設定温度以上であるか否かを判定する。一方、録画が終了された場合（ステップＳ６１２において、ＹＥＳ）、ＣＰＵ１０２は、図５で説明したステップＳ５０８の処理に進む。
【００５８】
このように、本発明の第２の実施形態では、録画停止の際には排熱能力の高い第１のファン３０６によって冷却を行い、録画が行われている場合には、静音性の高い第２のファン３０８で冷却を行う。この際、基板３０３の温度上昇によって基板３０２に搭載されたＣＰＵなどの電気素子が動作不良となる前に、排熱能力の高い第１のファン３０６によって冷却を行う。これによって、録画の際においても基板などに搭載された電気素子の温度上昇の速度を抑えつつ動作不良を防止して、かつ録音に影響を与えることなく録画時間を長く設定することができる。
【００５９】
［第３の実施形態］
続いて、本発明の第３の実施形態に係るカメラの一例について説明する。なお、第３の実施形態に係るカメラの構成は、図１〜図４に示すカメラと同様である。
【００６０】
図７は本発明の第３の実施形態に係るカメラで行われる送風制御処理の一例を説明するためのフローチャートである。
【００６１】
なお、図示のフローチャートに係る処理は、ＣＰＵ１０２がＲＯＭ１０３に格納されたプログラムをＲＡＭ１０４に展開して実行することによって行われる。また、図７に示すフローチャートにおいて、図５に示すフローチャートと同一のステップについては同一の参照符号を付して説明を省略する。
【００６２】
ステップＳ５０３において録画中であると、ＣＰＵ１０２は複数点における温度検出を行う（ステップＳ７０４）。ここでは、ＣＰＵ１０２は第１、第２、および第３の温度検知部３０４、３０２、および３０９によってそれぞれ基板３０３、撮像素子３０１、およびバッテリー１１１の温度を検出する。そして、ＣＰＵ１０２は基板３０３、撮像素子３０１、およびバッテリー１１１の検出温度をそれぞれ第１、第２、および第３の温度データとしてＲＡＭ１０４に書き込む。
【００６３】
続いて、ＣＰＵ１０２は、予めＲＯＭ１０３に記録された基板設定温度、撮像素子設定温度、およびバッテリー設定温度と第１、第２、および第３の温度データとをそれぞれ比較して、第１、第２、および第３の比較結果を得る（ステップＳ７０５）。そして、ＣＰＵ１０２は第１〜第３の比較結果に応じて第１のファン３０６および第２のファン３０８の回転数、つまり、送風量を制御する（ステップＳ７０６）。
【００６４】
図８は、図７に示す回転数制御ステップで用いられる制御テーブルの一例を示す図である。
【００６５】
図８に示す制御テーブルは、例えば、ＲＯＭ１０３に予め設定されている。ここでは、基板設定温度、撮像素子設定温度、およびバッテリー設定温度をそれぞれＸｐ、Ｘｃ、およびＸｂとする。また、第１、第２、および第３の温度データをそれぞれＴｐ、Ｔｃ、およびＴｂとする。
【００６６】
第１、第２、および第３の比較結果がそれぞれＴｐ≦Ｘｐ、Ｔｃ≦Ｘｃ、およびＴｂ≦Ｘｂであると、ＣＰＵ１０２は第１のファン３０６を停止して、第２のファン３０８を予め設定された高回転数で駆動する。第１、第２、および第３の比較結果がそれぞれＴｐ＞Ｘｐ、Ｔｃ≦Ｘｃ、およびＴｂ≦Ｘｂであると、ＣＰＵ１０２は第１のファン３０６の回転数を下げて、所定の低回転数とし、第２のファン３０８を予め設定された高回転数で駆動する。
【００６７】
第１、第２、および第３の比較結果がそれぞれＴｐ＞Ｘｐ、Ｔｃ＞Ｘｃ、およびＴｂ≦Ｘｂであると、ＣＰＵ１０２は第１のファン３０６の回転数を上げて、所定の高回転数とし、第２のファン３０８を予め設定された低回転数で駆動する。第１、第２、および第３の比較結果がそれぞれＴｐ＞Ｘｐ、Ｔｃ≦Ｘｃ、およびＴｂ＞Ｘｂであると、ＣＰＵ１０２は第１のファン３０６の回転数を上げて、所定の高回転数とし、第２のファン３０８を予め設定された低回転数で駆動する。
【００６８】
第１、第２、および第３の比較結果がそれぞれＴｐ＞Ｘｐ、Ｔｃ＞Ｘｃ、およびＴｂ＞Ｘｂであると、ＣＰＵ１０２は第１のファン３０６の回転数を上げて、所定の高回転数とし、第２のファン３０８を駆動しない（停止）。第１、第２、および第３の比較結果がそれぞれＴｐ≦Ｘｐ、Ｔｃ＞Ｘｃ、およびＴｂ≦Ｘｂであると、ＣＰＵ１０２は第１のファン３０６の回転数を下げて、所定の低回転数とし、第２のファン３０８を予め設定された低回転数で駆動する。
【００６９】
第１、第２、および第３の比較結果がそれぞれＴｐ≦Ｘｐ、Ｔｃ＞Ｘｃ、およびＴｂ＞Ｘｂであると、ＣＰＵ１０２は第１のファン３０６の回転数を下げて、所定の低回転数とし、第２のファン３０８を駆動しない（停止）。第１、第２、および第３の比較結果がそれぞれＴｐ≦Ｘｐ、Ｔｃ≦Ｘｃ、およびＴｂ＞Ｘｂであると、ＣＰＵ１０２は第１のファン３０６の回転数を下げて、所定の低回転数とし、第２のファン３０８を予め設定された低回転数で駆動する。
【００７０】
このようにして、ステップＳ７０６の回転数制御においては、ＣＰＵ１０２は制御テーブルに応じて８つの制御パターンで第１のファン３０６および第２のファン３０８を駆動制御することになる。
【００７１】
次に、ＣＰＵ１０２はシャッター釦２０１の操作によって録画が終了されたか否かを判定する（ステップＳ７０７）。録画が終了されない場合（ステップＳ７０７において、ＮＯ）、ＣＰＵ１０２はステップＳ７０４の処理に戻って、複数点温度検出を行う。一方、録画が終了された場合（ステップＳ７０７において、ＹＥＳ）、ＣＰＵ１０２は、図５で説明したステップＳ５０８の処理に進む。
【００７２】
このように、本発明の第３の実施形態では、録画停止の際には排熱能力の高い第１のファン３０６を用いて冷却を行う。さらに、録画の際にはダクト３０５と熱的に接続された基板３０３と、ダクト３０５と熱的に独立する撮像素子３０１およびバッテリー１１１の温度を検出する。そして、検出温度と予め設定された温度との関係に応じて、静音性が高くなる組み合わせで第１のファン３０６および第２のファン３０８を選択的に駆動して冷却を行う。これによって、第２のファン３０８の使用によって、ダクト３０５および基板３０３の熱がカメラ内部に拡散してカメラ内部の空気温度が上昇することを防止することができる。その結果、ダクト３０５と熱的に独立する撮像素子３０１およびバッテリー１１１からの排熱量が低くなって動作不良となる事態を防止することができる。
【００７３】
このようにして、第３の実施形態では、電気素子が動作不良を起こすことなくかつ録音に対する影響を低減して録画時間を長く設定することができる。
【００７４】
なお、ダクトと熱的に独立した熱源は少なくとも１つ以上あればよく、ダクトと熱的に独立した熱源の数は、上述の例に限定されない。また、ファンの回転数制御では、少なくとも停止および回転を行うようにすればよく、ファン回転数は上述の例に限定されない。
【００７５】
上述の実施の形態では、デジタルカメラなどの撮像装置を例に挙げて説明したが、外部の音声（音響）を録音する機能を有する電子機器であれば、同様にして、上述の実施の形態を適用することができる。
【００７６】
上述の説明から明らかなように、図１〜図４に示す例では、ＣＰＵ１０２が制御手段として機能し、第２の温度検知部３０２および第３の温度検知部３０９が第２の温度検知手段として機能する。そして、第１の温度検知部３０４が第１の温度検知手段として機能する。
【００７７】
以上、本発明について実施の形態に基づいて説明したが、本発明は、これらの実施の形態に限定されるものではなく、この発明の要旨を逸脱しない範囲の様々な形態も本発明に含まれる。
【００７８】
例えば、上記の実施の形態の機能を制御方法として、この制御方法を電子機器に実行させるようにすればよい。また、上述の実施の形態の機能を有するプログラムを制御プログラムとして、当該制御プログラムを電子機器が備えるコンピュータに実行させるようにしてもよい。なお、制御プログラムは、例えば、コンピュータに読み取り可能な記録媒体に記録される。
【００７９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
１００  カメラ
１０１  撮像部
１０２  ＣＰＵ
１１１  バッテリー
２０３  吸気口
２０４  排気口
３０１  撮像素子
３０２，３０４，３０９  温度検知部
３０５  ダクト
３０６，３０８  ファン
【図１】
0006512872.tif 000002
【図２】
0006512872.tif 000003
【図３】
0006512872.tif 000004
【図４】
0006512872.tif 000005
【図５】
0006512872.tif 000006
【図６】
0006512872.tif 000007
【図７】
0006512872.tif 000008
【図８】
0006512872.tif 000009